(57)【要約】【課題】  ベルトのバックルを簡単に脱着及び交換をすることが可能なベルトとバックルの連結金具を提供する。【解決手段】  一方で、枠体の一辺もしくは板状の一部にベルトの一端を取り付ける軸部を備えたバックルの該軸部を掴持できる開閉可能な軸部保持スペースを備えた連結部と、ベルト長手方向のもう一方でベルトの一端を取り付けるベルト咬着部とからなり、該連結部の軸部保持スペースを開閉可能とすることでバックルを掛止あるいは係脱できる事を特徴としたバックルとベルトを連結するバックル脱着式連結金具。【選択図】図１
0003176744.tif 000002
【実用新案登録請求の範囲】
【請求項１】
一方で、枠体の一辺もしくは板状の一部にベルトの一端を取り付ける軸部を備えたバックルの該軸部を掴持できる開閉可能な軸部保持スペースを備えた連結部と、ベルト長手方向のもう一方でベルトの一端を取り付けるベルト咬着部とからなり、該連結部の軸部保持スペースを開閉可能とすることでバックルを掛止あるいは係脱できる事を特徴としたバックルとベルトを連結するバックル脱着式連結金具。
【請求項２】
一方で、枠体の一辺もしくは板状の一部にベルトの一端を取り付ける軸部を備えたバックルの該軸部を掴持できる開閉可能な軸部保持スペースを備えた連結部と、ベルト長手方向のもう一方で既存のリバーシブル用反転自在基端咬着体を枢着した咬着部とからなり、ベルトもしくはリバーシブルデザインされたベルトと、バックルもしくはリバーシブルデザインされたバックルを連結する請求項１記載のバックル脱着式連結金具。
【請求項３】
一方で、枠体の一辺もしくは板状の一部にベルトの一端を取り付ける軸部を備えたバックルの該軸部を掴持できる開閉可能な軸部保持スペースを備え、軸部保持スペースの一部を構成する押さえ片を形成した裏蓋の回動により軸部保持スペースを開閉可能とした連結部と、ベルト長手方向のもう一方でベルトの一端を取り付けるベルト咬着部とからなり、該連結部の軸部保持スペースを開閉可能とすることで該バックルを掛止あるいは係脱できる事を特徴としたバックルとベルトを連結する請求項１又は請求項２記載のバックル脱着式連結金具。
【請求項４】
一方で、枠体の一辺もしくは板状の一部にベルトの一端を取り付ける軸部を備えたバックルの該軸部を掴持できる開閉可能な軸部保持スペースを備え、軸部保持スペースの一部を構成する押さえ片を形成した裏蓋を横方向にスライドさせることにより軸部保持スペースを開閉可能とした連結部と、ベルト長手方向のもう一方でベルトの一端を取り付ける咬着部とからなり、該連結部の軸部保持スペースを開閉可能とすることでバックルを掛止あるいは係脱する事を特徴としたバックルとベルトを連結する請求項１又は請求項２記載のバックル脱着式連結金具。
【請求項５】
一方で、枠体の一辺もしくは板状の一部にベルトの一端を取り付ける軸部を備えたバックルの該軸部を掴持できる開閉可能な軸部保持スペースを備え、軸部保持スペースの一部を構成する押さえ片を形成した裏蓋を縦方向にスライドさせることにより軸部保持スペースを開閉可能とした連結部と、ベルト長手方向のもう一方でベルトの一端を取り付ける咬着部とからなり、該連結部の軸部保持スペースを開閉可能とすることでバックルを掛止あるいは係脱する事を特徴としたバックルとベルトを連結する請求項１又は請求項２記載のバックル脱着式連結金具。
【請求項６】
一方で、枠体の一辺もしくは板状の一部にベルトの一端を取り付ける軸部を備えたバックルの該軸部を掴持できる開閉可能な軸部保持スペースを備え、軸部保持スペースの一部を構成する屈曲部を形成した表蓋の倒動により軸部保持スペースを開閉可能とした連結部と、ベルト長手方向のもう一方でベルトの一端を取り付けるベルト咬着部とからなり、該連結部の軸部保持スペースを開閉可能とすることでバックルを掛止あるいは系脱できる事を特徴としたバックルとベルトを連結する請求項１又は請求項２記載のバックル脱着式連結金具。
【請求項７】
請求項１〜６のいずれかに記載のバックル脱着式連結金具がベルト本体に装着されたベルト。
【考案の詳細な説明】
【技術分野】
【０００１】  本考案は、ベルトからベルトの一端を取り付ける軸部を持つバックルを簡易に脱着可能とするバックル脱着式連結金具である。
【背景技術】
【０００２】  バックルのベルト本体への取り付け形態としては、ベルト端部側に長孔を形成しておき該長孔にバックルのピンを通すようにしてバックル軸部に巻きつけて折り返し、ベルト本体の端部をベルト本体の内側部に重ね合わせ縫合などにより結合した物や、ベルト端部連結具や中間調整金具を使用しバックルを取り付ける場合もあり前記金具はベルトとバックルとを繋ぐ為の機能を有し本来の目的以外にベルトの全長を調整する役割を果たしている。しかしバックルだけをベルトから簡単に取り外す機能はなく固定されたバックルを簡単に脱着交換することが出来なかった。
【先行技術文献】
【０００３】
【特許文献】
【特許文献】実用登録３０８２２７６
【考案の概要】
【考案が解決しようとする課題】
【０００４】  元来、ベルト用バックルのベルト本体への取り付け形態としては、ベルト端部側に長孔を形成しておき、該長孔にバックル軸部に枢着されたピンを通すようにしてバックル軸部に巻きつけて折り返し、ベルト本体の端部をベルト本体の内側部に重ね、この重ね合わせ部を縫合などにより結合した物や、ベルト端部脱着連結具や中間調整金具は衣服用ベルトとバックルとを繋ぐ為の機能を有し本来の目的以外に衣服用ベルトの全長を調整する役割を果たしているが、バックルのみを簡単に取り外す機能はなく固定されたバックルを簡単に脱着交換することが出来なかった。【０００５】  一般的に衣服用ベルトのバックルを取り外す方法は前記のように困難であるため、ベルトとバックルの組み合わせにおいて自由な交換や変更ができず、ベルトまたはバックルのどちらかが痛んでしまえば使用することが出来なくなる問題点がある。【０００６】  バックルを簡単に脱着交換できれば、例えばリバーシブルデザインされたバックルを組み合わせることによりリバーシブルベルトを４通り使用することが出来る。【０００７】  また、従来ベルトの一端を取り付ける軸部を備えたバックルは、ベルトを身体に装着する際、もしくは取り外しの際にピンをサイズ調節用のベルト掛止穴に対して係脱するためにベルトの先端を強く屈曲し、更にピンをベルト掛止穴から取り外すために強く引っ張るためベルトの表面を傷つけ耐久性を低下させることから、亀裂や割れなどといった不都合を生じることが多い。
【課題を解決するための手段】
【０００８】  一方で、枠体の一辺もしくは板状の一部にベルトの一端を取り付ける軸部を備えたバックルの該軸部を掴持できる開閉可能な軸部保持スペースを備えた連結部と、ベルト長手方向のもう一方でベルトの一端を取り付けるベルト咬着部とからなり、該連結部において該軸部を掴持することでバックルを掛止あるいは係脱できる事を特徴としたバックルとベルトを連結するバックル脱着式連結金具を解決手段とする。【０００９】  一方で、枠体の一辺もしくは板状の一部にベルトの一端を取り付ける軸部を備えたバックルの該軸部を掴持できる開閉可能な軸部保持スペースを備えた連結部と、ベルト長手方向のもう一方に既存のリバーシブル用反転自在基端咬着体を枢着した咬着部とからなり、ベルトもしくはリバーシブルデザインされたベルトと、バックルもしくはリバーシブルデザインされたバックルを連結するバックル脱着式連結金具を解決手段とする。【００１０】  一方で、枠体の一辺もしくは板状の一部にベルトの一端を取り付ける軸部を備えたバックルの該軸部を掴持できる開閉可能な軸部保持スペースを備え、軸部保持スペースの一部を形成する押さえ片の回動により軸部保持スペースを開閉可能とした連結部と、ベルト長手方向のもう一方でベルトの一端を取り付けるベルト咬着部とからなり、該連結部において該軸部を掴持することでバックルを掛止あるいは系脱できる事を特徴としたバックルとベルトを連結するバックル脱着式連結金具を解決手段とする。【００１１】  一方で、枠体の一辺もしくは板状の一部にベルトの一端を取り付ける軸部を備えたバックルの該軸部を掴持できる開閉可能な軸部保持スペースを備え、軸部保持スペースの一部を形成する押さえ片を横方向にスライドさせることにより軸部保持スペースを開閉可能とした連結部と、ベルト長手方向のもう一方でベルトの一端を取り付ける咬着部とからなり、該連結部において該軸部を掴持することでバックルを掛止あるいは系脱する事を特徴としたバックルとベルトを連結するバックル脱着式連結金具を解決手段とする。【００１２】  一方で、枠体の一辺もしくは板状の一部にベルトの一端を取り付ける軸部を備えたバックルの該軸部を掴持できる開閉可能な軸部保持スペースを備え、軸部保持スペースの一部を形成する押さえ片を縦方向にスライドさせることにより軸部保持スペースを開閉可能とした連結部と、ベルト長手方向のもう一方でベルトの一端を取り付ける咬着部とからなり、該連結部において該軸部を掴持することでバックルを掛止あるいは系脱する事を特徴としたバックルとベルトを連結するバックル脱着式連結金具を解決手段とする。【００１３】  一方で、枠体の一辺もしくは板状の一部にベルトの一端を取り付ける軸部を備えたバックルの該軸部を掴持できる開閉可能な軸部保持スペースを備え、軸部保持スペースの一部を構成する屈曲部を形成した表蓋の倒動により軸部保持スペースを開閉可能とした連結部と、ベルト長手方向のもう一方でベルトの一端を取り付けるベルト咬着部とからなり、該連結部において該軸部を掴持することでバックルを掛止あるいは系脱できる事を特徴としたバックルとベルトを連結するバックル脱着式連結金具を解決手段とする。【００１４】  バックル脱着式連結金具���ベルト本体に装着されたベルトを解決手段とする。
【考案の効果】
【００１５】  本考案は、バックル脱着式連結金具のベルト側でベルト端部咬着の機能を備え、バックル側で開閉可能なバックル軸部保持スペースを備えていることにより、簡単にバックルの脱着及び付け替えが可能である。【００１６】  ウエスト部分にベルトが装着使用された状態でのバックル脱着交換も容易になり、リバーシブルデザインされたバックルのリバースや任意のバックルとの交換も簡単にする事が可能である。【００１７】  また、ウエスト部分にベルトが装着使用された状態において、バックルをベルトに掛止したままで装着状態を解除すれば、再度身体に装着する際の手間を省くことが出来るだけでなくベルトに必要以上の負担を加えることが無くなるためベルト調節穴の変形やベルトの傷みの防止となる。【００１８】  本考案ではバックルの交換が簡単に行える為、ベルトのファッション的展開を期待することが出来る。
【図面の簡単な説明】
【００１９】
【図１】本考案のバックル脱着式連結金具の構成を示す図であり、（ａ）はバックルを掛止させた状態、（ｂ）はバックルを係脱した状態への移行を示す斜視図である。
【図２】本考案のバックル脱着式連結金具の組立分解図である。
【図３】本考案のバックル脱着式連結金具の他のバックルを使った実施例の説明図である。
【図４】本考案のバックル脱着式連結金具の連結部に反転自在の基端咬着体を組み合わせた例と、リバーシブルデザインされたバックルの一例を示す説明図である。
【図５】本考案のバックル脱着式連結金具の他の実施例２の構成において、バックルを掛止させた状態を示す図である。
【図６】本考案のバックル脱着式連結金具の他の実施例２の構成において、バックルを係脱させた状態を示す図である。
【図７】本考案のバックル脱着式連結金具の他の実施例２の構成における、組立分解図である。
【図８】本考案のバックル脱着式連結金具の他の実施例３の構成において、バックルを掛止させた状態を示す図である。
【図９】本考案のバックル脱着式連結金具の他の実施例３の構成において、バックルを係脱させた状態を示す図である。
【図１０】本考案のバックル脱着式連結金具の他の実施例３の構成における、組立分解図である。
【図１１】本考案のバックル脱着式連結金具の他の実施例４の構成において、バックルを掛止させた状態を示す図である。
【図１２】本考案のバックル脱着式連結金具の他の実施例４の構成における、バックルを係脱させた状態を示す図である。
【図１３】本考案のバックル脱着式連結金具の他の実施例４の構成における、組立分解図である。
【考案を実施するための形態】
【００２０】  次に、本考案の実施形態に係るバックル脱着式連結金具について図面を参照して説明する。なお、本考案に係るバックル連結部１は、一実施形態を図示したような形状においてバックルを脱着する構造を限定したものではなく、本考案を説明する為の例示であり、軸部保持スペースを開閉可能とする本考案の趣旨は様々な形態で実施することができる。また、ベルトに取り付けて使用するという特性上ベルト咬着及び長さ調節機能を備えた部分を一体化あるいは連結部１１に反転自在のリバーシブル用基端咬着体７などを枢着した構成も含まれる。
【実施例１】
【００２１】  図１は、バックル脱着式連結金具１の実施例１の構成を示す。図１の（ａ）は本考案の実施例１に係るバックル３の掛止状態を示す裏面斜視図であり、（ｂ）は裏面の可動部分である裏蓋１４のベルト側をＱ１方向に押すことにより軸部押さえ片１３が屈曲部１６から離れ、開口部１２が開き軸部保持スペース１５からバックル３を係脱した状態を示す裏面斜視図である。【００２２】  図２は、バックル連結式脱着金具１の実施例１における組立分解図である。バックル脱着式連結金具１は連結部１１とベルト咬着部２から構成されている。連結部１１は芯用穴１７から挿入された貫通芯１９によって裏蓋１４側面の穴２０及び内部にコイルバネ１８を装入した状態で組み立てられ、該貫通芯１９は裏蓋１４の回動の支点となる。【００２３】  ベルト咬着部２は穴２５を貫通させた咬着用芯２３により芯受け穴２４で軸着されたベルト咬着体２１を回動可能とし、ベルト挿入部２２に挿入されたベルトを咬着する構成になっている。【００２４】  裏蓋１４はコイルバネ１８の作用によって軸部押さえ片１３が屈曲部１６に架かり、軸部保持スペース１５に食い込むこと無く保持スペースを備えることとなる。よって裏蓋１４の回動はベルト側に限られ裏蓋１４のベルト側を押さえることにより開口部１２が開きバックル３を簡単に係脱する事を可能としている。【００２５】  図３は、バックル連結式脱着金具１を使用した他のバックルとの組み合わせの一例である。バックル連結式脱着金具１は軸部３２を備えた枠体３１の様なバックル３に限らず、化粧板５にコの字状軸部５１を備えたバックル等でも掛止することが出来、ベルト通し部４を省き、軸部保持スペースを例えば切り込みの無い裏蓋１１１や切れ込みの無い屈曲片１２１のようにすればデザイン的に矛盾のない状態と出来る事を示している。【００２６】  図４はバックル連結式脱着金具１の応用の一例である。衣服用ベルトに取付けて使用するという特性上、前記実施例に限らず連結部１１を独立させ例えば図４のように公知のリバーシブル用反転自在基端咬着体７を連結部１１に枢着し一体化し、ベルトとバックルを連結することも可能である。【００２７】  図４のようにリバーシブル用反転自在基端咬着体７を枢着した場合、リバーシブルデザインされたベルトを咬着した物に例えばリバーシブルデザインバックル６（リバーシブルデザインバックル表６１、リバーシブルデザインバックル裏６２）の様なリバーシブルデザインされたバックルを組み合わす事により、リバーシブルベルトの両面及びリバーシブルバックルの両面を選んで使用することが出来るため、一本のベルトを４通りに使用することが可能となる。
【実施例２】
【００２８】  図５は、バックル脱着式連結金具１の他の実施例２の横スライドタイプの構成を示す裏面斜視図である。バックル３の軸部３２が軸部保持スペース１５に掛止されている状態を示している。【００２９】  図６は、バックル脱着式連結金具１の他の実施例２において、裏面の可動部分である裏蓋１４ｂをベルト側Ｑ２方向にスライドさせることにより軸部押さえ片１３が屈曲部１６から離れ開口部１２を開き軸部保持スペース１５からバックル３を系脱させた状態を示している。【００３０】  図７は、バックル脱着式連結金具１の他の実施例２における組立分解図である。連結部１１内部においてバネ係止壁１３１に板バネ１８ｂが設置されている。板バネ１８ｂを挟むように裏蓋１４ｂを構設し裏蓋１４ｂの側面に設けられたスライド穴２０ｂと連結部側面に設けられた芯用穴１７ｂに芯１９ｂを軸通させ可動状態になっている。【００３１】  裏蓋１４ｂは板バネ１８ｂによりバックル方向に押され、軸部押さえ片１３が屈曲部１６架かった状態になり軸部保持スペース１５を形成し、裏蓋１４ｂをベルト方向に移動させることにより開口部１２が開き板バネ１８ｂの反発力により元に戻る。
【実施例３】
【００３２】  図８は、バックル脱着式連結金具１の他の実施例３の縦スライドタイプの構成を示す裏面斜視図であり、バックル３の軸部３２が軸部保持スペース１５に掛止されている状態を示している。【００３３】  図９は、バックル脱着式連結金具１の他の実施例３において、裏面の可動部分である裏蓋１４ｃはベルト通し部４を下方向Ｑ３に押し下げることにより、軸部押さえ片１３が屈曲部１６から離れ開口部１２を開き軸部保持スペース１５からバックル３を系脱させた状態を示している。【００３４】  図１０は、バックル脱着式連結金具１の他の実施例３における組立分解図である。裏蓋１４ｃは側面に設けられたベルト通し部スライド穴４１とバックル脱着式連結金具側面の穴２０を芯１９ｃで軸通され可動状態になっており、連結部１１両側面内部から少し外側に飛び出すように設けられた板バネ１８ｃは、バックルを掛止した状態において裏蓋１４ｃ両側面内側に設けられた板バネ嵌合部４２１と嵌合している。【００３５】  板バネ１８ｃは裏蓋１４ｃを押し下げることで板バネガイド溝４２により連結部１１内側に少し押し込まれた状態になるが、該板バネガイド溝４２により前後の移動を制限されている。【００３６】  裏蓋１４ｃを反Ｑ３方向に押し上げるかベルト通し部４を反Ｑ３方向に引き上げることにより開かれた開口部１２を閉じることができ、板バネガイド溝４２によって押し込まれていた板バネ１８ｃは板バネ嵌合部４２１に嵌合することで系止される。
【実施例４】
【００３７】  図１１は、バックル脱着式連結金具１の他の実施例４の構成であり、バックル３の軸部３２が軸部保持スペース１５に掛止されている状態を示す裏面斜視図である。【００３８】  図１２は、バックル脱着式連結金具１の他の実施例４において、表面の可動部分である表蓋４０に設けられたベルト通し部４をベルト側Ｑ４方向に倒すことにより、屈曲部１６が軸部押さえ片１３から離れ開口部１２を開き、軸部保持スペース１５からバックル３を系脱させた状態を示している。【００３９】  図１３は、バックル脱着式連結金具１の他の実施例４における組立分解図である。連結部１１は芯用穴１７から挿入された貫通芯１９によって表蓋４０側面の穴２０及び内部にコイルバネ１８を装入した状態で組み立てられ、該貫通芯１９は表蓋１４の回動の支点となる。表蓋４０はコイルバネ１８の作用によって屈曲部１６が軸部押さえ片１３に架かり軸部保持スペース１５を構成する。表蓋４０はベルト通し部４をベルト側に倒動させることによりにより開口部１２を開き、コイルバネ１８の反発力によって開口部を元に戻し開口部１２を閉じることとなる。
【産業上の利用可能性】
【００４０】  バックルをベルトから簡単に取り外す事が可能となり、ベルトとバックルの別売方法などで消費者がベルト利用の際におけるベルトとバックルの自由な組み合わせで購入出来る可能性がある。【００４１】  また、バックルをベルトから簡単に取り外す事が可能なので、消費者が既に持っているベルト又はバックルを自由に組み合わせて使用する事が出来る。【００４２】  ベルトの傷や亀裂、割れといった不都合を防ぐことが出来る為ベルトの耐久性を上げることが出来る。【００４３】  本考案のバックル脱着式連結金具により、リバーシブルベルトの展開が容易になりベルト及びバックルの商品開発の巾を広げる可能性がある。【００４４】  前記の特長により合理的かつ効率的になりエコロジーに貢献できる。
【符号の説明】
【００４５】１          バックル脱着式連結金具
１ｂ        バックル脱着式連結金具
１ｃ        バックル脱着式連結金具
１１        連結部
１２        開口部
１３        軸部押さえ片
１４        裏蓋
１４ｂ      裏蓋
１４ｃ      裏蓋
１５        軸部保持スペース
１６        屈曲部
１７        芯用穴
１７ｂ      芯用穴
１７ｃ      芯用穴
１８        コイルバネ
１８ｂ      板バネ
１８ｃ      板バネ
１９        貫通芯
１９ｂ      芯
１９ｃ      芯
２０        穴
２０ｂ      スライド穴
１１１      切れ込みのない裏蓋
１２１      切れ込みのない屈曲片
１３１      バネ係止壁
２          ベルト咬着部
２１        ベルト咬着体
２２        ベルト挿入部
２３        咬着体用芯
２４        芯受け穴
２５        芯穴
２６        隔壁
３          バックル
３１        枠体
３２        軸部
３３        ピン
４          ベルト通し部
４０        表蓋
４１        ベルト通し部スライド穴
４２        板バネガイド溝
４２１      板バネ嵌合部
５          化粧板
５１        コの字状軸部
６          リバーシブルデザインバックル
６１        リバーシブルデザインバックル表
６２        リバーシブルデザインバックル裏
７          リバーシブル用反転自在基端咬着体
【図１】
0003176744.tif 000003
【図２】
0003176744.tif 000004
【図３】
0003176744.tif 000005
【図４】
0003176744.tif 000006
【図５】
0003176744.tif 000007
【図６】
0003176744.tif 000008
【図７】
0003176744.tif 000009
【図８】
0003176744.tif 000010
【図９】
0003176744.tif 000011
【図１０】
0003176744.tif 000012
【図１１】
0003176744.tif 000013
【図１２】
0003176744.tif 000014
【図１３】
0003176744.tif 000015